(57)【要約】【課題】共用型の表示電極とメッシュパターンの隔壁とをもつプラズマディスプレイパネルのパネル容量の低減を目的とする。【解決手段】画面を区画する垂直壁と水平壁とからなる放電障壁と、隣り合う行が１本の電極を共有する形式の行電極アレイを構成する複数の表示電極と、画面に列電極として配列されたアドレス電極とを有し、表示電極のそれぞれが透明導電膜と当該透明導電膜の幅方向の中央部に重なる金属膜とからなるプラズマディスプレイパネルにおいて、表示電極のそれぞれの透明導電膜を、列どうしの境界ごとに幅方向の両端縁が切り欠かれ且つ金属膜が重なる中央部と２つの切り欠きのそれぞれとの間に位置する２つの部分がくり抜かれた帯状に形成する。【選択図】図４
2005108775.tif 000002
【特許請求の範囲】
【請求項１】
行および列にマトリクス配列されたセルからなる画面と、
前記画面を列ごとに区画する複数の垂直壁と行ごとに区画する複数の水平壁とからなる放電障壁と、
前記画面に行電極として配列され、隣り合う行が１本の電極を共有する形式の電極アレイを構成する複数の表示電極と、
前記画面に列電極として配列されたアドレス電極と、を有し、
前記表示電極のそれぞれは、前記水平壁よりも幅が大きい帯状の透明導電膜と、前記水平壁よりも幅が小さい帯状であって当該透明導電膜の幅方向の中央部に重なる金属膜とからなり、
前記表示電極のそれぞれの透明導電膜は、列どうしの境界ごとに幅方向の両端縁が切り欠かれ且つ金属膜が重なる前記中央部と２つの切り欠きのそれぞれとの間に位置する２つの部分がくり抜かれた帯状に形成されており、
前記水平壁は透明導電膜と重ならない部分をもつ
ことを特徴とするプラズマディスプレイパネル。
【請求項２】
前記透明導電膜における切り欠きおよびくり抜きの行方向の長さは垂直壁の幅よりも大きく、
当該切り欠きの行方向の両端のそれぞれと最も近い垂直壁との平面視距離Ｗ１と、くり抜きの行方向の両端のそれぞれと当該垂直壁との平面視距離Ｗ２とが、Ｗ１≧Ｗ２の関係を満たす
請求項１記載のプラズマディスプレイパネル。
【請求項３】
前記平面視距離Ｗ２が５０μｍ以下である
請求項２記載のプラズマディスプレイパネル。
【請求項４】
前記透明導電膜におけるくり抜きの放電ギャップ側の端と前記水平壁の上面の端との平面視距離Ｄ２が８０μｍ以下である
請求項１記載のプラズマディスプレイパネル。
【請求項５】
前記表示電極のそれぞれの透明導電膜は、列どうしの境界ごとに幅方向の両端縁が切り欠かれ且つ金属膜が重なる前記中央部と２つの切り欠きのそれぞれとの間の２つの部分がくり抜かれ、さらに列ごとに前記中央部の両側に位置する２つの部分がくり抜かれた帯状に形成されている
請求項１記載のプラズマディスプレイパネル。
【請求項６】
放電障壁は、行どうしの境界ごとに複数の水平壁を有する
請求項１記載のプラズマディスプレイパネル。
【請求項７】
前記表示電極のそれぞれの透明導電膜は、列どうしの境界ごとに幅方向の両端縁が切り欠かれ且つ金属膜が重なる前記中央部と２つの切り欠きのそれぞれとの間に位置し当該切り欠きと繋がる２つの部分がくり抜かれた帯状に形成されており、隣り合う水平壁どうしの間において垂直壁とは重ならない
請求項１記載のプラズマディスプレイパネル。
【請求項８】
放電障壁は、行どうしの境界ごとに複数の水平壁を有する
請求項７記載のプラズマディスプレイパネル。
【発明の詳細な説明】
【技術分野】
【０００１】
本発明は面放電型のプラズマディスプレイパネルに関する。
【０００２】
画面が大型になるにつれて消費電力の低減の重要性が増しており、発光効率を向上させるパネル構造が望まれている。
【背景技術】
【０００３】
カラー表示用のＡＣ型プラズマディスプレイパネルにおいて面放電形式が採用されている。ここでいう面放電形式は、セルの発光量を決める表示放電において陽極および陰極となる表示電極を、前面側または背面側の基板の上に平行に配列し、表示電極対と交差するようにアドレス電極を配列する形式である。
【０００４】
面放電形式における表示電極の配列には２つの形態がある。便宜的に一方を単独型、他方を共用型と呼称する。単独型は、マトリクス表示の行ごとに一対ずつ表示電極を配列するものである。表示電極の総数は行数の２倍となる。共用型は、行数に１を加えた本数の表示電極を等間隔に配列する形態である。共用型では、隣り合う表示電極どうしが面放電のための電極対を構成し、全ての表示電極間隙が面放電ギャップとなる。共用型は、垂直解像度（行数）および画面の利用率の点で単独型よりも優れている。
【０００５】
面放電形式のプラズマディスプレイパネルでは、単独型および共用型のどちらであっても対をなす表示電極が平行であるので、少なくとも表示電極に沿って並ぶセル間の放電干渉を防止する隔壁（放電障壁）が必要である。隔壁のパターンには、マトリクス表示の列ごとに放電空間を区画するストライプパターンと、列および行ごと（つまりセルごと）に放電空間を区画するメッシュパターンとがある。製造の容易性の点ではストライプパターンが優れ、セルの閉鎖性の点ではメッシュパターンが優れる。
【０００６】
従来、共用型の表示電極とストライプパターンの隔壁とをもつプラズマディスプレイパネルに関して、表示電極形状の種々の変形が特開２０００−１１３８２８号公報に記載されている。同公報の図１１に示された表示電極は１行に携わる部分が梯子状であり、図３に示された表示電極はセルごとにＴ字状にパターニングされている。同公報は、電極形状を部分的に切り欠いた帯状にすることの効果として、列方向の放電の拡がりが抑制されること、および放電電流の最大値が低下することを挙げている。
【０００７】
また、単独型の表示電極とストライプパターンの隔壁とをもつプラズマディスプレイパネルに関して、表示電極間の静電容量を低減するための表示電極形状の変形が特開２００３−９２０６３号公報に記載されている。同公報の図２に示された表示電極は、隔壁と交差する位置（列の境界）ごとに面放電ギャップ側の端縁を切り欠いた帯状である。
【特許文献１】特開２００３−９２０６３号公報
【発明の開示】
【発明が解決しようとする課題】
【０００８】
共用型の表示電極とメッシュパターンの隔壁とを組み合わせた構成のプラズマディスプレイパネルでは、ストライプパターンの隔壁をもつプラズマディスプレイパネルよりも画面全体の静電容量（これをパネル容量という）が大きいという問題があった。パネル容量はこれを充電するための電力を費やす。この電力は発光に寄与しない無効な電力であり、プラズマディスプレイパネルの駆動回路の発熱を助長する。発熱は単位時間当たりの表示放電回数を制限し、放電回数の増大による輝度の向上を妨げる。発熱対策としての放熱フィンやファンの取り付けには、表示装置が高価格になるとともに大きな作動音が生じるという不都合がある。
【０００９】
本発明は、共用型の表示電極とメッシュパターンの隔壁とをもつプラズマディスプレイパネルのパネル容量の低減を目的としている。
【課題を解決するための手段】
【００１０】
本発明においては、表示電極間の容量および表示電極と隔壁との間の浮遊容量が小さくなるように、表示電極の形状を工夫する。本発明を適用したプラズマディスプレイパネルは、行および列にマトリクス配列されたセルからなる画面と、画面を列ごとに区画する複数の垂直壁と行ごとに区画する複数の水平壁とからなる放電障壁と、画面に行電極として配列され、隣り合う行が１本の電極を共有する形式の電極アレイを構成する複数の表示電極と、画面に列電極として配列されたアドレス電極とを有しており、表示電極のそれぞれが、水平壁よりも幅が大きい帯状の透明導電膜と、水平壁よりも幅が小さい帯状であって当該透明導電膜の幅方向の中央部に重なる金属膜とからなり、表示電極のそれぞれの透明導電膜が、列どうしの境界ごとに幅方向の両端縁が切り欠かれ且つ金属膜が重なる中央部と２つの切り欠きのそれぞれとの間に位置する２つの部分がくり抜かれた帯状に形成されており、水平壁が透明導電膜と重ならない部分をもつものである。
【発明の効果】
【００１１】
請求項１ないし請求項７の発明によれば、画面全体の静電容量を低減して発光に寄与しない電力の消費を減少させることができる。
【発明を実施するための最良の形態】
【００１２】
〔装置の概略〕
図１はプラズマディスプレイ装置の構成図である。プラズマディスプレイ装置１００は、マトリクス表示の行（ｒｏｗ）および列（ｃｏｌｕｍｎ）を構成する多数のセルを有したＡＣ型のプラズマディスプレイパネル（ＰＤＰ）１と、セルの発光を制御する駆動ユニット７０とから構成されている。
【００１３】
プラズマディスプレイパネル１の画面５１には、面放電形式の表示放電を生じさせるための電極対を構成するｎ＋１本の第１の表示電極Ｘとｎ本の第２の表示電極Ｙとが行電極として１本ずつ交互に配列され、これら表示電極Ｘ，Ｙと交差するようにアドレス電極Ａが列電極として配列されている。表示電極Ｘ，Ｙは水平方向（行方向）に画面５１の全長にわたって延び、アドレス電極Ａは垂直方向（列方向）に画面５１の全長にわたって延びている。表示電極Ｘ，Ｙの総数（２ｎ＋１）は１列のセル数２ｎに１を加えた数であり、アドレス電極Ａの総数ｍは列数と同数である。図において表示電極Ｘ，Ｙおよびアドレス電極Ａの参照符号の添字は配列順位を示す。
【００１４】
駆動ユニット７０は、駆動制御を担うコントローラ７１、駆動電力を出力する電源回路７３、表示電極Ｘの電位を変化させるＸドライバ７６、表示電極Ｙの電位を変化させるＹドライバ７７、およびアドレス電極Ａの電位を変化させるＡドライバ７８を有している。Ｙドライバ７７は、ｎ本の表示電極Ｙに対する個別の電位制御を可能にするスキャン回路を含む。
【００１５】
駆動ユニット７０にはＴＶチューナ、コンピュータなどの画像出力装置からＲ，Ｇ，Ｂの３色の輝度レベルを示すフレームデータＤｆが、各種の同期信号とともに入力される。フレームデータＤｆはコントローラ７１の中のフレームメモリに一時的に記憶される。コントローラ７１は、フレームデータＤｆを階調表示のためのサブフィールドデータＤｓｆに変換してＡドライバ７８へシリアル転送する。サブフィールドデータＤｓｆは１セル当たり１ビットの表示データであって、その各ビットの値は該当する１つのサブフィールドにおけるセルの発光の要否、厳密にはアドレス放電の要否を示す。
【００１６】
プラズマディスプレイ装置１００は、プログレッシブ形式の画像表示が可能である。プログレッシブ表示のための駆動方法は公知なので、ここでは詳しい説明を省略する。公知文献の一例として特開平１０−２０７４１７号公報がある。なお、例えば特開平９−１６０５２５号公報に記載されたインタレース形式の駆動方法を駆動ユニット７０に適用することも可能である。
【００１７】
図２はプラズマディスプレイパネル１のセル構造の概略を示す。図２ではプラズマディスプレイパネル１における３×２個のセルに対応した部分を、内部構造がよくわかるように一対の基板構体１０，２０を分離させて描いてある。
【００１８】
プラズマディスプレイパネル１は一対の基板構体１０，２０からなる。基板構体とは、画面サイズ以上の大きさのガラス基板と他の少なくとも１種のパネル構成要素とからなる構造体を意味する。前面側の基板構体１０は、ガラス基板１１、表示電極Ｘ，Ｙ、誘電体層１７、および保護膜１８から構成される。表示電極Ｘ，Ｙは誘電体層１７および保護膜１８によって被覆されている。背面側の基板構体２０は、ガラス基板２１、アドレス電極Ａ、絶縁層２４、メッシュパターンの放電障壁である隔壁２９、および蛍光体層２８Ｒ，２８Ｇ，２８Ｂから構成される。隔壁２９は、画面を列ごとに区画する複数の垂直壁２９１と、行ごとに区画する複数の水平壁２９２とが一体になった低融点ガラスからなる構造体である。隔壁２９における垂直壁２９１と水平壁２９２とが交差する部分は、垂直壁２９１と水平壁２９２との共通部分である。蛍光体層２８Ｒ，２８Ｇ，２８Ｂは、放電ガスが放つ紫外線によって励起されて発光する。図中の括弧内のアルファベットＲ，Ｇ，Ｂは蛍光体の発光色を示す。
〔電極構造〕
図３は電極配置の模式図である。図３では３行４列のマトリクスが例示されており、個々のセルの位置が一点鎖線の楕円で示されている。
【００１９】
表示電極Ｘ１，Ｘ２，Ｙ１，Ｙ２のそれぞれは、面放電ギャップを形成する透明導電膜４１と、電気抵抗を下げるバス導体である金属膜４２とから構成されている。隣り合う表示電極の組、すなわちＸ１とＹ１、Ｙ１とＸ２、およびＸ２とＹ２が、面放電のための電極対（陽極および陰極）を構成する。配列の両端の表示電極Ｘ１，Ｙ２は１行の表示に携わり、他の表示電極Ｘ２，Ｙ１は隣り合う２行の表示に携わる。つまり、表示電極配列は共用型である。透明導電膜４１および金属膜４２は薄膜法による成膜とフォトリソグラフィによるパターニングとで形成される。
【００２０】
図４は表示電極の構成を示す。図４（Ａ）は平面図、図４（Ｂ）および（Ｃ）は断面図である。表示電極Ｘ，Ｙの層構造および形状は同一であるので、図が煩雑になるのを避けるため、図４（Ａ）では便宜的に表示電極Ｙのみに参照符号を付してある。
【００２１】
図４（Ａ）のように、セル５２において電極対を構成する表示電極Ｘ，Ｙのそれぞれは、水平壁２９２よりも幅が大きい帯状の透明導電膜４１と、水平壁よりも幅が小さい帯状であって当該透明導電膜４１の幅方向の中央部に重なる金属膜４２とからなり、水平壁２９２に対して線対称に配置される。平面視において、透明導電膜４１の両側縁部が水平壁２９２に対して出っ張り、金属膜４２の全体が水平壁２９２と重なる。
【００２２】
これら表示電極Ｘ，Ｙの透明導電膜４１は、基本形状である均一幅の真っ直ぐな帯状を変形させた本発明に特有の形状をもつ。すなわち、透明導電膜４１は、垂直壁２９１で画定される列どうしの境界ごとに幅方向の両端縁が矩形の凹部４１１を設けるように切り欠かれ、且つ金属膜４２が重なる中央部と２つの切り欠き（凹部４１１）のそれぞれとの間に位置する２つの部分が矩形の空孔４１２を設けるようにくり抜かれた帯状に形成される。空孔４１２は、水平壁２９２と透明導電膜４１とが部分的に重ならない電極配置構造を形成する。
【００２３】
透明導電膜４１における凹部４１１および空孔４１２の形成は、次のようにパネル容量の低減に貢献する。
【００２４】
プラズマディスプレイパネル１を駆動する際の静電容量は、隣り合う表示電極Ｘ，Ｙの電極間における静電容量、表示電極Ｘ，Ｙとアドレス電極Ａとの間の静電容量に大別することができる。まず、表示電極間の静電容量について考える。この静電容量は、面放電ギャップを隔てて互いに近接している部分の長さに大きく依存する。凹部４１１を設けることによって、近接部分の長さが短くなるので、凹部４１１の水平方向の長さを大きくするにつれて静電容量は減少する。次に、表示電極Ｘ，Ｙとアドレス電極Ａとの間の静電容量について考える。この静電容量は、表示電極Ｘ，Ｙの面積、およびアドレス電極の面積に依存する。凹部４１１および空孔４１２を設けることによって表示電極Ｘ，Ｙの面積は小さくなるので、その分だけ静電容量は減少する。また、表示電極Ｘ，Ｙとアドレス電極Ａとに挟まれる隔壁の比誘電率は放電空間の比誘電率に比べて桁違いに高いので、表示放電を生じさせるために表示電極対に電圧を印加したとき、隔壁には放電空間と比べて大きな静電エネルギーが生じる。垂直壁２９１と水平壁２９２とからなるメッシュパターンの隔壁は、ストライプパターンの隔壁と比べて体積が大きい分だけ発生する静電エネルギーも大きい。透明導電膜４１ではこの点に関しても考慮されており、両側縁に凹部４１１を設けるだけではなく、幅方向の中央部の近傍に空孔４１２を設けることによって隔壁近傍の表示電極面積が低減され、それによって静電容量のいっそうの低減が図られている。
【００２５】
次に透明導電膜４１の寸法条件について説明する。表示電極Ｘ，Ｙの設計に際して、透明導電膜４１の幅は画面の仕様によって決まる。画面サイズと垂直方向の解像度によってセルピッチが決まり、放電開始電圧の選定によって面放電ギャップが決まる。電極配列が共用型であるので、透明導電膜４１の幅は垂直方向のセルピッチから面放電ギャップを差し引いた値となる。例えば、４２インチ解像度１０２４、垂直セルピッチ５１０μｍ、水平セルピッチ３００μｍの典型的な画面の場合、透明導電膜４１の幅は約４００μｍであり、透明導電膜４１における１行の表示に携わる片側部分の幅は約２００μｍである。
【００２６】
ここで、垂直壁２９１の上面の端から凹部４１１の水平方向端部までの距離をＷ１、凹部４１１の垂直方向の長さをＤ１、垂直壁２９１の上面の端から空孔４１２の水平方向端部までの距離をＷ２、水平壁２９２の上面の端から空孔４１２の面放電ギャップ側の端部までの距離をＤ２、水平壁２９２における透明導電膜４１と重ならない部分の垂直方向の長さ（空孔４１２の垂直方向の長さからＤ２を引いた値）をＤ３とする。
【００２７】
図５が示すとおり、距離Ｗ１、Ｗ２を大きくすると、静電容量は単調に減少する。静電容量に対して距離Ｗ２よりも距離Ｗ１の影響が大きいことから、距離Ｗ２よりも距離Ｗ１をより大きくすることで、静電容量を効果的に低減することができる。しかし、距離Ｗ１の長さを大きくしていってＷ１が約６０ｕｍ以上となると、図６が示すとおり、適切に表示放電を生じさせることができるサステイン電圧が急激に上昇してしまう。したがって、距離Ｗ１の長さは静電容量低減効果とサステイン電圧の兼ね合いにより決定すべきである。望ましい距離Ｗ１の値としては、サステイン電圧の上昇が軽微で且つ静電容量低減効果が大きい５０〜６０μｍ程度である。また、距離Ｗ１の長さを固定して距離Ｗ２の長さを変化させたときの輝度を測定したところ、図７が示すとおり、距離Ｗ２が距離Ｗ１よりも大きくなると輝度の低下する度合が大きくなる。距離Ｗ２を２０〜５０μｍ程度に設定すると、表示電極における隔壁に近い発光効率の低い部分での放電を低減し、それによって発光効率を高めることができる。これに対して、距離Ｗ２を５０μｍ以上とすると輝度が低下するのは、表示電極の電極面積が小さくなりすぎるためと考えられる。距離Ｗ２の増大による発光効率の改善は明らかに飽和する。以上のことから、距離Ｗ１と距離Ｗ２の関係を考察すると、Ｗ１≧Ｗ２となるように設計するのが望ましいといえる。このようにＷ１≧Ｗ２とするのが輝度および発光効率の面で有利であるが、無効な電力の低減を重視する場合にはＷ１＜Ｗ２としてもよい。
【００２８】
長さＤ３を大きくすることによっても静電容量を低減させることができる。しかし、長さＤ３を過剰に大きくすると、必然的に金属膜４２の幅を小さくしなければならず、表示電極Ｘ，Ｙのライン抵抗の増大によって水平方向の線状の画像歪であるストリーキングの発生が懸念される。長さＤ３が過小であると、プラズマディスプレイパネル１の製造において基板対の位置ずれによって金属膜４２が水平壁２９２と重なる位置から発光領域へはみ出してしまう場合がある。この場合には放電による発光が金属膜４２によって遮光され、輝度が著しく低下してしまう。したがって、基板対の位置ずれの許容範囲を考慮した寸法設計が必要といえる。望ましい長さＤ３は約２０〜５０μｍ程度である。
【００２９】
図８が示すとおり、長さＤ２が８０μｍを超えると輝度の低下が顕著である。また、図９が示すとおり、発光効率も長さＤ２が８０μｍを超えると低下する。したがって、長さＤ２を８０μｍ以下とするのが望ましい。
【００３０】
なお、透明導電膜４２に空孔４１２が空いていることにより、プラズマディスプレイパネル１の製造において表示電極Ｘ，Ｙと水平壁２９２との位置決めが垂直方向にずれても、空孔４１２が空いていない場合と比べて、各セルにおける電極面積の増減量が少ない。表示電極Ｘ，Ｙの配置が水平壁２９２に対して傾くと、行内のセル間で電極面積の増減量に差が生じるものの、その差は空孔４１２が空いていない場合と比べて軽微である。各セル５２において表示電極Ｘ，Ｙと水平壁２９２との位置決めが水平方向にずれても、各セル５２の電極面積は変わらない。さらに、水平壁２９２と重ならない位置において透明導電膜４２が１行分のセルに跨るように延びるので、セルごとに分断されている場合（例えばＴ字状にパターニングされた電極）と比べて、表示電極Ｘ，Ｙと水平壁２９２との位置決めが垂直方向にずれても、電極と隔壁との位置関係に依存する放電特性の変化が軽微である。
【００３１】
図１０は表示電極形状の第１変形例を示す。表示電極Ｘｂ，Ｙｂのそれぞれは、帯状の透明導電膜４１ｂと、当該透明導電膜４１ｂの幅方向の中央部に重なる金属膜４２とからなる。表示電極Ｘｂ，Ｙｂの構成は基本的には上述の表示電極Ｘ，Ｙと同様である。表示電極Ｘｂ，Ｙｂにおける透明導電膜４１ｂは、凹部４１１、空孔４１２、および空孔４１３をもつ。空孔４１３は、隣り合う垂直壁２９１の中間位置ごとに金属膜４２の両側に合わせて２個ずつ形成されている。空孔４１３をもつことによって、表示電極Ｘｂ，Ｙｂとアドレス電極Ａとの対向面積が減少し、これら電極間の静電容量が低減される。
【００３２】
上述したように距離Ｗ２を５０μｍ以上とするのは好ましくない。本例では距離Ｗ２を長くすることなく、図４の例よりも静電容量を低減することができる。ただし、空孔４１３を設けることで輝度は若干低くなるので、空孔４１３の寸法に関しては輝度特性と静電容量の兼ね合いを考えて決定するのがよい。
【００３３】
図１１は表示電極形状の第２変形例を示す。表示電極Ｘｃ，Ｙｃのそれぞれは、帯状の透明導電膜４１ｃと、当該透明導電膜４１ｃの幅方向の中央部に重なる金属膜４２とからなる。表示電極Ｘｃ，Ｙｃの構成は基本的には上述の表示電極Ｘ，Ｙと同様である。表示電極Ｘｃ，Ｙｃにおける透明導電膜４１ｃは、凹部４１１および空孔４１２ｂをもつ。空孔４１２ｂは、列どうしの境界ごとに当該透明導電膜４１ｃにおける幅方向の中央部と２つの凹部４１１のそれぞれとの間の部分をＴ字状にくり抜くように設けられ、凹部４１１と繋がっている。空孔４１２ｂを有するので、透明導電膜４１ｃは隣り合う水平壁２９２どうしの間において垂直壁２９１とは重ならない。これによって本例では図４の例よりも静電容量を低減することができる。
【００３４】
図１２は隔壁形状の変形例を示す。隔壁２９ｂは、画面を列ごとに区画する複数の垂直壁２９１と行ごとに区画する複数の水平壁２９２ｂとからなる。隔壁２９ｂの特徴は、行どうしの境界ごとに２つの水平壁２９２ｂを有することである。つまり、隔壁２９ｂは、図４の隔壁２９の水平壁２９２における幅方向の中央部分をくり抜いた構造に相当する。隔壁２９ｂは隔壁２９と比べて表示電極Ｘ，Ｙとの対向面積が小さいので、静電容量の低減において優れている。
【産業上の利用可能性】
【００３５】
本発明の適用によって、画面の静電容量が減少するので、静電容量を充電する無駄な電力消費を低減することができる。本発明を適用したプラズマディスプレイパネルは、発光効率が高く発熱の少ない表示デバイスを提供する上で有用である。
【図面の簡単な説明】
【００３６】
【図１】プラズマディスプレイ装置の構成図である。
【図２】プラズマディスプレイパネル１のセル構造の概略を示す図である。
【図３】電極配置の模式図である。
【図４】表示電極の構成を示す図である。
【図５】表示電極の特定部位から隔壁までの距離Ｗ１，Ｗ２と静電容量との関係を示すグラフである。
【図６】表示電極の特定部位から隔壁までの距離Ｗ１とサステイン電圧との関係を示すグラフである。
【図７】表示電極の特定部位から隔壁までの距離Ｗ２と輝度との関係を示すグラフである。
【図８】表示電極の特定部位の長さＤ２と輝度との関係を示すグラフである。
【図９】表示電極の特定部位の長さＤ２と発光効率との関係を示すグラフである。
【図１０】表示電極形状の第１変形例を示す図である。
【図１１】表示電極形状の第２変形例を示す図である。
【図１２】隔壁形状の変形例を示す図である。
【符号の説明】
【００３７】
１    プラズマディスプレイパネル
５１    画面
２９，２９ｂ    隔壁（放電障壁）
２９１    垂直壁
２９２，２９２ｂ    水平壁
Ｘ，Ｘｂ，Ｘｃ    表示電極
Ｙ，Ｙｂ，Ｙｃ    表示電極
Ａ    アドレス電極
４１，４１ｂ、４１ｃ  透明導電膜
４２    金属膜
４１１    凹部（切り欠き）
４１２，４１２ｂ    空孔（くり抜き）
【図１】
2005108775.tif 000003
【図２】
2005108775.tif 000004
【図３】
2005108775.tif 000005
【図４】
2005108775.tif 000006
【図５】
2005108775.tif 000007
【図６】
2005108775.tif 000008
【図７】
2005108775.tif 000009
【図８】
2005108775.tif 000010
【図９】
2005108775.tif 000011
【図１０】
2005108775.tif 000012
【図１１】
2005108775.tif 000013
【図１２】
2005108775.tif 000014